【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
原稿を載置する原稿台と、原稿を前記原稿台の表面に向けて押さえる原稿押さえ手段と、前記原稿押さえ手段の前記原稿台に対する開閉動作を検知する開閉検知手段と、光源から発した光を前記原稿台上の原稿に向けて照射しながら、前記原稿台の表面に沿った副走査方向に移動する移動照射手段と、前記移動照射手段を移動させる駆動力を発揮する駆動源と、原稿面での反射光を受光して原稿の画像を読み取る画像センサーと、前記移動照射手段の移動を制御する制御手段とを備え、前記制御手段が、所定の休止条件の成立に基づいて、前記移動照射手段を副走査方向における待機位置から原稿サイズ検知位置まで移動させてから、前記駆動源に対する電源供給を休止した状態でユーザーからの命令を待つ休止待機処理と、前記休止待機処理の実施中における前記開閉検知手段による開動作の検知に基づいて、前記駆動源への電源供給を再開して前記光源を点灯させながら、前記画像センサーによる読取結果に基づいて原稿の主走査方向における長さを特定する休止後原稿長さ特定処理とを実施するものである画像読取装置において、
前記休止後原稿長さ特定処理を開始した時点における前記移動照射手段の副走査方向の位置を推定する位置推定手段を設け、
前記位置推定手段による推定結果が副走査方向における前記原稿サイズ検知位置を含む検知可能領域内にない場合には、前記休止後原稿長さ特定処理における長さの特定を中止するか、あるいは、前記休止後原稿長さ特定処理における長さの特定結果を取り消すかする処理を実施するように、前記制御手段を構成したことを特徴とする画像読取装置。
【請求項２】
請求項１の画像読取装置において、
副走査方向における前記待機位置と前記原稿サイズ検知位置との間に存在する基準位置に移動した前記移動照射手段を検知する基準位置センサーと、前記画像センサーに対してシェーディング補正用の白色ベタ像を読み取らせるために、副走査方向における前記基準位置と前記原稿サイズ検知位置との間に配設された白色部材とを設け、
且つ、前記休止後原稿長さ特定処理にて、前記移動照射手段を前記原稿サイズ検知位置から前記待機位置に向けて移動させながら前記画像センサーによる読取結果を取得する処理を実施するように、前記制御手段を構成したことを特徴とする画像読取装置。
【請求項３】
請求項２の画像読取装置において、
前記休止後原稿長さ特定処理にて前記移動照射手段の前記待機位置に向けての移動が開始されてから、前記基準位置センサーによって前記移動照射手段が検知されるまでに要した前記移動照射手段の移動量に基づいて、前記休止後原稿長さ特定処理を開始した時点における前記移動照射手段の副走査方向の位置を推定する処理を実施するように、前記位置推定手段を構成したことを特徴とする画像読取装置。
【請求項４】
請求項３に記載の画像読取装置において、
前記移動量が所定範囲内にない場合に、前記休止後原稿長さ特定処理を開始した時点における前記移動照射手段の副走査方向の位置について、前記検知可能領域内にないと推定する処理を実施するように、前記制御手段を構成したことを特徴とする画像読取装置。
【請求項５】
請求項４に記載の画像読取装置において、
前記所定範囲内における最小値として、前記基準位置から前記白色部材における前記原稿サイズ検知位置の側の端までの距離と、前記休止後原稿長さ特定処理の実施中における前記移動照射手段の移動範囲との合計と同等以上の値を採用したことを特徴とする画像読取装置。
【請求項６】
請求項４又は５に記載の画像読取装置において、
前記開閉検知手段による開動作の検知に基づいて、前記待機位置にある前記移動照射手段を前記原稿サイズ検知位置まで移動させる開時移動処理と、
前記休止待機処理を実施していないときの前記開閉検知手段による開動作の検知に基づいて、前記移動照射手段を前記原稿サイズ検知位置から前記待機位置に向けて移動させながら、原稿の主走査方向における長さを前記画像センサーによる読取結果に基づいて特定する非休止時原稿長さ特定処理とを実施し、
且つ、前記休止後原稿長さ特定処理で原稿の長さの特定を中止するか、あるいは前記休止後原稿長さ特定処理における長さの特定結果を取り消すかした場合に、前記基準位置センサーによる前記移動照射手段の検知タイミングを参考にして前記移動照射手段を前記待機位置まで移動させる処理を実施するように、前記制御手段を構成したことを特徴とする画像読取装置。
【請求項７】
請求項６に記載の画像読取装置において、
前記休止後原稿長さ特定処理で原稿の長さの特定を中止するか、あるいは前記休止後原稿長さ特定処理における長さの特定結果を取り消すかした場合に、前記移動照射手段を前記待機位置まで移動させた後に、前記原稿押さえ手段の開閉の実施をユーザーに促すメッセージを報知する処理を実施するように、前記制御手段を構成したことを特徴とする画像読取装置。
【請求項８】
請求項６に記載の画像読取装置において、
前記休止後原稿長さ特定処理には、前記非休止時原稿長さ特定処理の場合よりも遅い速度で、前記移動照射手段を前記待機位置に向けて移動させる処理を実施するように、前記制御手段を構成したことを特徴とする画像読取装置。
【請求項９】
原稿の画像を読み取る画像読取手段と、前記画像読取手段による画像の読取結果に基づいて記録部材に画像を形成する画像形成手段とを備える画像形成装置において、
前記画像読取手段として、請求項１乃至８の何れかに記載の画像読取装置を用いたことを特徴とする画像形成装置。
【手続補正２】
【補正対象書類名】明細書
【補正対象項目名】０００７
【補正方法】変更
【補正の内容】
【０００７】
上記目的を達成するために、本発明は、原稿を載置する原稿台と、原稿を前記原稿台の表面に向けて押さえる原稿押さえ手段と、前記原稿押さえ手段の前記原稿台に対する開閉動作を検知する開閉検知手段と、光源から発した光を前記原稿台上の原稿に向けて照射しながら、前記原稿台の表面に沿った副走査方向に移動する移動照射手段と、前記移動照射手段を移動させる駆動力を発揮する駆動源と、原稿面での反射光を受光して原稿の画像を読み取る画像センサーと、前記移動照射手段の移動を制御する制御手段とを備え、前記制御手段が、所定の休止条件の成立に基づいて、前記移動照射手段を副走査方向における待機位置から原稿サイズ検知位置まで移動させてから、前記駆動源に対する電源供給を休止した状態でユーザーからの命令を待つ休止待機処理と、前記休止待機処理の実施中における前記開閉検知手段による開動作の検知に基づいて、前記駆動源への電源供給を再開して前記光源を点灯させながら、前記画像センサーによる読取結果に基づいて原稿の主走査方向における長さを特定する休止後原稿長さ特定処理とを実施するものである画像読取装置において、前記休止後原稿長さ特定処理を開始した時点における前記移動照射手段の副走査方向の位置を推定する位置推定手段を設け、前記位置推定手段による推定結果が副走査方向における前記原稿サイズ検知位置を含む検知可能領域内にない場合には、前記休止後原稿長さ特定処理における長さの特定を中止するか、あるいは、前記休止後原稿長さ特定処理における長さの特定結果を取り消すかする処理を実施するように、前記制御手段を構成したことを特徴とするものである。